(57)【要約】【課題】外枠部と内枠部との接続強度を大幅に強化した物干し具を提供する。【解決手段】コ字状に折り曲げて形成しヒンジ部を支点にして連結した外枠部１２と、外枠部に渡って接続される内枠部１３と、外枠部及び内枠部に垂下する複数個のピンチ部材と、外枠部に連結する吊り具と、吊り具に設けられるフックとを備える物干し具であって、外枠部と内枠部との接続部分は、接続部２１を介在して接続されており、接続部は、外枠部に設けた貫通孔２２に挿通する接続ピン２３と、接続ピンの先端部２３ａが挿入され、一端部２５ａに外枠部の外周面に沿った曲面部２４が形成され、他端部２５ｂが内枠部の端部１３ａ側の内側に嵌合する接続駒２５と、外枠部を外側から挟み込み且つその先端２７ａ側で内枠部の端部を挟持し、当該先端側の外周にネジ部２６が形成された開閉可能な接続カバー２７と、接続カバーのネジ部に螺合する管状体２８とから構成される。【選択図】図１
2019030571.tif 000002
【特許請求の範囲】
【請求項１】
金属製の管材又は棒材をコ字状に折り曲げて形成しヒンジ部を支点にして連結した外枠部と、金属製の管材又は棒材からなり前記外枠部に渡って接続される内枠部と、前記外枠部及び前記内枠部に垂下する複数個のピンチ部材と、前記外枠部に連結する吊り具と、該吊り具に設けられるフックとを備え、前記ヒンジ部を支点にして折畳み自在に形成される物干し具であって、
前記外枠部と前記内枠部との接続部分は、接続部を介在して接続されており、
該接続部は、
前記外枠部に設けた貫通孔に挿通する接続ピンと、
該接続ピンの先端部が挿入され、一端部に前記外枠部の外周面に沿った曲面部が形成され、他端部が前記内枠部の端部側の内側に嵌合する接続駒と、
前記外枠部を外側から挟み込み且つその先端側で前記内枠部の端部を挟持し、当該先端側の外周にネジ部が形成された開閉可能な接続カバーと、
該接続カバーの前記ネジ部に螺合する管状体と、から構成されること
を特徴とする物干し具。
【請求項２】
前記接続ピンは、パイプ状に形成されると共に、長さ方向に沿って切れ目が形成されてバネ性を備えること
を特徴とする請求項１に記載の物干し具。
【請求項３】
前記接続ピンは、基部側に段部が形成され、該段部が前記貫通孔の入口に係止する構成であること
を特徴とする請求項１に記載の物干し具。
【請求項４】
前記接続駒は、他端部側が二股状部に形成されて弾性を有し、且つ前記内枠部の端部側の内側に係止する段差部を備えること
を特徴とする請求項１に記載の物干し具。
【請求項５】
前記接続カバーは、前記外枠部を外側から挟み込む第１挟持部を有し、該第１挟持部の先端側には、前記内枠部の前記端部を挟持する第２挟持部を有し、該第２挟持部の外周には、前記ネジ部が形成されていること
を特徴とする請求項１に記載の物干し具。
【発明の詳細な説明】
【技術分野】
【０００１】
本発明は、洗濯物をピンチ部材に挟んで干すための、折畳み式の物干し具に関するものであり、更に詳しくは、外枠部と内枠部との接続強度を大幅に強化した物干し具に関するものである。
【背景技術】
【０００２】
従来の物干し具としては、図７及び図８に示す構成のものが知られている。この物干し具１は、アルミ製の棒材をコ字状に折り曲げて形成した外枠部２と、アルミ製の棒材からなり外枠部２に渡って接続される内枠部３と、外枠部２及び内枠部３に垂下する複数個のピンチ部材４と、外枠部２に連結する吊り具５と、吊り具５の頂部に設けられるフック６とから構成される。
【０００３】
このような構成の物干し具１は、外枠部２に設けられたヒンジ部７を支点にして折畳み自在に形成される。
【０００４】
また、外枠部２と内枠部３とは、接続部８を介在して接続される。接続部８は、図８に示すように、外枠部２を外側から挟み込み且つその先端側で内枠部３の端部を挟持する接続カバー８ａと、接続カバー８ａの先端側に形成されたネジ部（図７及び図８には図示せず）に螺合する管状体８ｂとから構成される。
【０００５】
なお、特開２０１１−２４８７５号公報には、洗濯物をピンチ部材に挟んで干すための、折畳み式の物干し具が開示されている（特許文献１参照）。
【先行技術文献】
【特許文献】
【０００６】
【特許文献１】特開２０１１−２４８７５号公報
【発明の概要】
【発明が解決しようとする課題】
【０００７】
この従来例の物干し具１においては、接続部８の接続強度が比較的低いという問題点を有している。つまり、内枠部３に対して不用意な力が加わった場合には、接続部８と内枠部３とが、外枠部２に沿って横にズレることがある。
【０００８】
また、外枠部２及び内枠部３は、アルミ製の棒材で形成されているので、物干し具１の重量が重くなり、使い勝手が悪いという問題点も有している。
【０００９】
従って、従来例における物干し具１においては、接続部８の接続強度を強化して、内枠部３に不用意な力が加わった場合でも、接続部８と内枠部３とが横にズレない構造にすることと、物干し具１の軽量化を図ることとに解決しなければならない課題を有している。
【課題を解決するための手段】
【００１０】
前記従来例の課題を解決するための本発明の要旨は、金属製の管材又は棒材をコ字状に折り曲げて形成しヒンジ部を支点にして連結した外枠部と、金属製の管材又は棒材からなり前記外枠部に渡って接続される内枠部と、前記外枠部及び前記内枠部に垂下する複数個のピンチ部材と、前記外枠部に連結する吊り具と、該吊り具に設けられるフックとを備え、前記ヒンジ部を支点にして折畳み自在に形成される物干し具であって、前記外枠部と前記内枠部との接続部分は、接続部を介在して接続されており、該接続部は、前記外枠部に設けた貫通孔に挿通する接続ピンと、該接続ピンの先端部が挿入され、一端部に前記外枠部の外周面に沿った曲面部が形成され、他端部が前記内枠部の端部側の内側に嵌合する接続駒と、前記外枠部を外側から挟み込み且つその先端側で前記内枠部の端部を挟持し、当該先端側の外周にネジ部が形成された開閉可能な接続カバーと、該接続カバーの前記ネジ部に螺合する管状体と、から構成されることである。
【００１１】
また、前記接続ピンは、パイプ状に形成されると共に、長さ方向に沿って切れ目が形成されてバネ性を備えること、；
前記接続ピンは、基部側に段部が形成され、該段部が前記貫通孔の入口に係止する構成であること、；
前記接続駒は、他端部側が二股状部に形成されて弾性を有し、且つ前記内枠部の端部側の内側に係止する段差部を備えること、；
前記接続カバーは、前記外枠部を外側から挟み込む第１挟持部を有し、該第１挟持部の先端側には、前記内枠部の前記前記端部を挟持する第２挟持部を有し、該第２挟持部の外周には、前記ネジ部が形成されていること、；
を含むものである。
【発明の効果】
【００１２】
本発明に係る物干し具によれば、外枠部と内枠部との接続部が、外枠部に設けた貫通孔に挿通する接続ピンと、接続ピンの先端部が挿入される接続駒と、外枠部を外側から挟み込み且つその先端側で内枠部の端部を挟持する接続カバーと、接続カバーのネジ部に螺合する管状体とから構成されるので、接続部の接続強度が大幅に強化される。
特に、接続ピンと接続駒との存在によって、接続部及び内枠部が固定状態に維持されるので、内枠部に対して不用意な力が加わった場合でも横にズレない。
即ち、接続部の接続強度が高いので、内枠部に不用意な力が加わっても、接続部及び内枠部が横ズレせず、脱落や抜け落ちが生じないという優れた効果を奏する。
【００１３】
また、外枠部及び内枠部は、金属製の管材又は棒材で形成されるので、管材（パイプ材）の場合は、物干し具の軽量化が図れて、使い勝手が良好である。
棒材（円柱材）の場合は、頑丈で強固に形成されるので、破損や変形等が生じにくいという優れた効果を奏する。
【００１４】
接続ピンは、パイプ状に形成されると共に、長さ方向に沿って切れ目が形成されてバネ性を備えることによって、貫通孔及び接続駒への挿入状態が安定して維持されるので、接続ピンの脱落や抜け落ちが生じないという優れた効果を奏する。
【００１５】
接続ピンは、基部側に段部が形成され、この段部が前記貫通孔の入口に係止する構成であることによって、接続ピンが貫通孔の反対側から抜け落ちることがないという優れた効果を奏する。
【００１６】
接続駒は、他端部側が二股状部に形成されて弾性を有し、且つ内枠部の端部側の内側に係止する段差部を備えることによって、内枠部の端部側に嵌合した時に、嵌合状態が安定して維持されるので、接続駒の脱落や抜け落ちが生じないという優れた効果を奏する。
【００１７】
接続カバーは、外枠部を外側から挟み込む第１挟持部を有し、第１挟持部の先端側には、内枠部の端部を挟持する第２挟持部を有し、第２挟持部の外周には、ネジ部が形成されていることによって、外枠部と内枠部とを一緒に確実に挟持することができるという優れた効果を奏する。
【図面の簡単な説明】
【００１８】
【図１】外枠部１２と内枠部１３との接続部分の斜視図である。
【図２】外枠部１２と内枠部１３との接続部分の断面図である。
【図３】接続ピン２３の斜視図である。
【図４】接続駒２５の斜視図である。
【図５】接続カバー２７の斜視図である。
【図６】管状体２８の斜視図である。
【図７】物干し具１（１１）の斜視図である。
【図８】外枠部２（１２）及び内枠部３（１３）の平面図である。
【発明を実施するための形態】
【００１９】
次に、本発明の実施の形態について図面を参照しながら説明する。なお、理解を容易にするために、従来例で説明した図面と同一の図面（図７及び図８）を用いて、従来例に対応する部分には、従来例と同一の符号を付けて説明する。
【００２０】
まず、図７及び図８において、符号１１は物干し具を示し、この物干し具１１は、金属製の管材又は棒材をコ字状に折り曲げて形成しヒンジ部７を支点にして連結した外枠部１２と、金属製の管材又は棒材からなり外枠部１２に渡って接続される内枠部１３と、外枠部１２及び内枠部１３に垂下する複数個のピンチ部材４と、外枠部１２に連結する吊り具５と、吊り具５の頂部に設けられるフック６とを備え、ヒンジ部７を支点にして折畳み自在な構成である。
【００２１】
外枠部１２及び内枠部１３が、管材（パイプ材）で形成される場合は、物干し具１１の軽量化が図れて、使い勝手が良好である。また、外枠部１２及び内枠部１３が、棒材（円柱材）で形成される場合は、頑丈で強固に形成されるので、破損や変形等が生じにくい利点がある。
【００２２】
外枠部１２と内枠部１３との接続部分は、図１及び図２に示すように、接続部２１を介在して接続される。
【００２３】
接続部２１は、図１及び図２に示すように、外枠部１２に設けた貫通孔２２に挿通する接続ピン２３と、接続ピン２３の先端部２３ａが挿入され、一端部２５ａに外枠部１２の外周面に沿った曲面部２４が形成され、他端部２５ｂが内枠部１３の端部１３ａ側の内側に嵌合する接続駒２５と、外枠部１２を外側から挟み込み且つその先端２７ａ側で内枠部１３の端部を挟持し、当該先端２７ａ側の外周にネジ部２６が形成された開閉可能な接続カバー２７と、接続カバー２７のネジ部２６に螺合する管状体２８とから構成される。
【００２４】
接続ピン２３は、スチール等の金属材からなり、図３に示すように、パイプ状に形成されている。また、接続ピン２３の長さ方向に沿って切れ目２９が形成されており、当該切れ目２９に沿ってバネ性（弾性）を備える。
このように、接続ピン２３がバネ性を備えることによって、貫通孔２２及び接続駒２５への挿入状態が安定して維持され、接続ピン２３の脱落や抜け落ちが生じない。
【００２５】
また、接続ピン２３は、図３に示すように、基部２３ｂ側の縁部に沿ってリング状の段部３０が膨出して形成されており、この段部３０が貫通孔２２の入口に係止する仕組になっている。従って、接続ピン２３が貫通孔２２の反対側から抜け落ちることがない。
なお、貫通孔２２の入口には、図１及び図２に示すように、リング状に拡径した縁部２２ａが形成されており、この縁部２２ａに、段部３０がピッタリと嵌まり込むようになっている。
【００２６】
接続駒２５は、プラスチック等の合成樹脂材からなり、図１及び図２に示すように、一端部２５ａには、外枠部１２の外周面に沿った曲面部２４が形成されている。曲面部２４の中央部には、接続ピン２３の先端部２３ａが挿入される挿入孔３２が形成されている。
【００２７】
接続駒２５の一端部２５ａ側には、図４に示すように、筒状の筒部３３を有し、筒部３３の他端部２５ｂ側には、段部３４を介して、筒状の挿入部３５が形成されている。挿入部３５は、内枠部１３の端部１３ａ側に挿入する部位である。
挿入部３５の他端部２５ｂ側（接続駒２５の他端部２５ｂ側）は、二股状部３６が形成されて弾性を有し、二股状部３６の先端には、段差部３７が形成されている。
このように、二股状部３６は弾性を有し、且つ段差部３７を備えるので、内枠部１３の端部１３ａ側に嵌合した時に（図２参照）、嵌合状態が安定して維持され、接続駒２５の脱落や抜け落ちが生じない。
【００２８】
接続カバー２７は、アルミニウム等の金属材からなり、図５に示すように、外枠部１２を外側から挟み込む第１挟持部３８を有し、第１挟持部３８の先端２７ａ側には、内枠部１３の端部１３ａを挟持する第２挟持部３９を有する。
接続カバー２７の先端２７ａ側の外周、即ち、第２挟持部３９の外周には、ネジ部２６が形成されている。
また、接続カバー２７は、先端２７ａ側の第２挟持部３９が上下に開いて、全体的に開閉可能に形成されている。
このように、第１挟持部３８と第２挟持部３９とを有するので、外枠部１２と内枠部１３とを一緒に確実に挟持することができる（図１参照）。
【００２９】
管状体２８は、アルミニウム等の金属材からなり、図６に示すように、管状に形成されて、内枠部１３に回転自在に設けられる（図１参照）。また、管状体２８の内側には、内ネジ部４０が形成されており、管状体２８を回転させて、内ネジ部４０と接続カバー２７のネジ部２６とを螺合させる。
【００３０】
以上のように構成される物干し具１１は、外枠部１２と内枠部１３との接続部２１が、外枠部１２に設けた貫通孔２２に挿通する接続ピン２３と、接続ピン２３の先端部が挿入される接続駒２５と、外枠部１２を外側から挟み込み且つその先端側で内枠部１３の端部を挟持する接続カバー２７と、接続カバー２７のネジ部２６に螺合する管状体２８とから構成されるので、接続部２１の接続強度が大幅に強化される。
特に、接続ピン２３と接続駒２５との存在によって、接続部２１及び内枠部１３が固定状態に維持されるので、内枠部１３に対して不用意な力が加わっても横にズレない。
即ち、接続部２１の接続強度が高いので、内枠部１３に不用意な力が加わっても、接続部２１と内枠部１３とが横ズレせず、脱落や抜け落ちが生じない。
【００３１】
また、外枠部１２及び内枠部１３は、金属製の管材又は棒材で形成されるので、管材の場合は、物干し具１１の軽量化が図れて、使い勝手が良好である。そして、棒材の場合は、頑丈で強固に形成されるので、破損や変形等が生じにくい。
【符号の説明】
【００３２】
１    物干し具
２    外枠部
３    内枠部
４    ピンチ部材
５    吊り具
６    フック
７    ヒンジ部
８    接続部
８ａ  接続カバー
８ｂ  管状体
１１  物干し具
１２  外枠部
１３  内枠部
１３ａ端部
２１  接続部
２２  貫通孔
２２ａ縁部
２３  接続ピン
２３ａ先端部
２３ｂ基部
２４  曲面部
２５  接続駒
２５ａ一端部
２５ｂ他端部
２６  ネジ部
２７  接続カバー
２７ａ先端
２８  管状体
２９  切れ目
３０  段部
３２  挿入孔
３３  筒部
３４  段部
３５  挿入部
３６  二股状部
３７  段差部
３８  第１挟持部
３９  第２挟持部
４０  内ネジ部
【図１】
2019030571.tif 000003
【図２】
2019030571.tif 000004
【図３】
2019030571.tif 000005
【図４】
2019030571.tif 000006
【図５】
2019030571.tif 000007
【図６】
2019030571.tif 000008
【図７】
2019030571.tif 000009
【図８】
2019030571.tif 000010
【手続補正書】
【提出日】平成30年11月13日(2018.11.13)
【手続補正１】
【補正対象書類名】図面
【補正対象項目名】図２
【補正方法】変更
【補正の内容】
【図２】
2019030571.tif 000011